(57)【特許請求の範囲】
【請求項１】
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、ペルチェ効果を利用して、吸引された蒸気を冷却・凝縮させるとともにその冷却・凝縮後の残存蒸気を加熱・乾燥させるための電子冷却・加熱部を備えることを特徴とする吸引式清掃装置。
【請求項２】
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、
吸引された蒸気を凝縮させるとともに、吸引された空気、蒸気、汚水及び汚れから空気とその他のものとに遠心分離するための遠心分離部と、
その遠心分離部に対して当該吸引流路の下流側に位置し、ペルチェ効果を利用して、遠心分離されずに吸引された蒸気を冷却・凝縮させるとともにその冷却・凝縮後の残存蒸気を加熱・乾燥させるための電子冷却・加熱部と、
を備えることを特徴とする吸引式清掃装置。
【請求項３】
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、
吸引された蒸気を凝縮させるとともに、吸引された空気、蒸気、汚水及び汚れから空気とその他のものとに遠心分離するための遠心分離部と、
その遠心分離部の内部に配置され、ペルチェ効果を利用して、遠心分離されずに吸引されようとする蒸気を冷却・凝縮させるとともにその冷却・凝縮後の残存蒸気を加熱・乾燥させるための電子冷却・加熱部と、
を備えることを特徴とする吸引式清掃装置。
【請求項４】
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、
主として、吸引された空気、蒸気、汚水及び汚れから空気とその他のものとに予備的に遠心分離するための予備遠心分離部と、
その予備遠心分離部に対して当該吸引流路の下流側に位置し、予備遠心分離されずに吸引された蒸気を凝縮させるとともに、吸引された空気、蒸気、汚水及び汚れから空気とその他のものとにさらに遠心分離するための遠心分離部と、
その遠心分離部の内部に配置され、ペルチェ効果を利用して、遠心分離されずに吸引されようとする蒸気を冷却・凝縮させるとともにその冷却・凝縮後の残存蒸気を加熱・乾燥させるための電子冷却・加熱部と、
を備えることを特徴とする吸引式清掃装置。
【請求項５】
前記遠心分離部はサイクロンにて構成される一方、
前記電子冷却・加熱部は、前記サイクロンの内筒壁に埋設されるペルチェ素子と、その内筒壁から外筒壁の位置する外方側へ向けて突出形成される吸熱フィンと、当該内筒壁から軸線の位置する内方側へ向けて突出形成される発熱フィンとが一体化されている請求項３又は４に記載の吸引式清掃装置。
【請求項６】
前記吸熱フィンは、遠心分離される蒸気の流れ方向に沿って螺旋状に連続形成され、接触した蒸気から凝縮熱を奪うことによりその蒸気を冷却・凝縮させる請求項５に記載の吸引式清掃装置。
【請求項７】
前記吸熱フィンは、前記内筒壁からの突出高さが異なる複条螺旋構造を有している請求項５又は６に記載の吸引式清掃装置。
【請求項８】
前記発熱フィンは、冷却・凝縮後の残存蒸気の流れ方向に沿って螺旋状に連続形成され、接触した蒸気を加熱することによりその蒸気を乾燥させる請求項５ないし７のいずれか１項に記載の吸引式清掃装置。
【請求項９】
前記サイクロンの外筒壁の外面には、そのサイクロン内部の熱を外部に放出するための放熱フィンが形成されている請求項５ないし８のいずれか１項に記載の吸引式清掃装置。
【請求項１０】
前記乾燥空気用の吸引口は、前記蒸気用吸引部の使用が選択されたとき、前記乾燥空気用吸引部への吸引蒸気及び湿潤状態の汚れの流入を阻止するために閉塞される請求項１ないし９のいずれか１項に記載の吸引式清掃装置。
【請求項１１】
請求項１ないし１０のいずれか１項に記載の吸引式清掃装置に用いられる清掃用アタッチメントであって、
少なくとも前記乾燥空気用吸引部と蒸気用吸引部とが内部に形成された筒状本体部を有し、
その筒状本体部は、前記負圧発生部に対して着脱自在に、かつ直接に又は他部材を介して間接的に取り付けられて前記吸引式清掃装置を構成することを特徴とする清掃用アタッチメント。
【請求項１２】
前記筒状本体部側と前記負圧発生部側とのいずれか一方側には、これらが清掃待機姿勢に対応する所定の位置関係にあることを検知するための検出手段が設けられる一方、
前記筒状本体部には、浄水を加熱して清掃用の蒸気を発生させる蒸気発生部が取り付けられ、
前記検出手段により清掃待機姿勢が検知されたとき、前記蒸気発生部による蒸気発生準備を可能とする請求項１１に記載の清掃用アタッチメント。
【請求項１３】
前記筒状本体部側と前記負圧発生部側とのいずれか一方側には、これらが清掃待機姿勢に対応する所定の位置関係にあることを検知するための検出手段が設けられる一方、
前記筒状本体部には、浄水を加熱して清掃用の蒸気を発生させる蒸気発生部が取り付けられるとともに、
前記筒状本体部の蒸気用の吸引流路には、前記電子冷却・加熱部で冷却・凝縮された汚水を貯留する汚水貯留部が取り付けられ、
前記蒸気用の吸引流路の使用が選択されたとき、前記検出手段による清掃待機姿勢であるか否かの検知とは無関係に、前記汚水貯留部は前記蒸気用の吸引流路から遮断され、
その後前記検出手段により清掃待機姿勢が検知されたとき、前記蒸気発生部による蒸気発生準備を可能とする請求項１１又は１２に記載の清掃用アタッチメント。
【請求項１４】
前記筒状本体部には、前記蒸気用吸引部の吸引流路と前記乾燥空気用吸引部の吸引流路とが区画形成されるとともに、
前記蒸気用の吸引流路の断面積が前記乾燥空気用の吸引流路の断面積よりも大に形成されている請求項１１ないし１３のいずれか１項に記載の清掃用アタッチメント。
【請求項１５】
前記筒状本体部には、前記蒸気用吸引部の吸引流路と、前記乾燥空気用吸引部の吸引流路と、前記蒸気発生部で発生した蒸気を吐出させるための蒸気用の吐出流路とが区画形成されている請求項１２ないし１４のいずれか１項に記載の清掃用アタッチメント。
【請求項１６】
前記筒状本体部の蒸気用の吸引流路には、吸引した蒸気を前記電子冷却・加熱部へ導入するための軸流ファンが配置されている請求項１１ないし１５のいずれか１項に記載の清掃用アタッチメント。
【請求項１７】
蒸気用の吸引口及び吸引流路を含む蒸気用吸引部が負圧発生部に連通連結され、湿潤状態の汚れを吸引・除去するための吸引式清掃装置であって、
前記蒸気用の吸引流路には、ペルチェ効果を利用して、吸引された蒸気を冷却・凝縮させるとともにその冷却・凝縮後の残存蒸気を加熱・乾燥させるための電子冷却・加熱部を備えることを特徴とする吸引式清掃装置。
【発明の詳細な説明】
【技術分野】
【０００１】
本発明は、噴射蒸気を吸引することにより汚れを除去する吸引式清掃装置、特に蒸気と乾燥空気とを選択的に吸引することにより乾燥状態又は湿潤状態の汚れを除去する吸引式清掃装置に関する。また、本発明はそのような吸引式清掃装置に用いる清掃用アタッチメントに関する。
【背景技術】
【０００２】
路面、建物の床面・壁面・ガラス面等にこびり付いた汚れや調理器具等に焦げ付いた油汚れのような頑固な汚れを除去するために、蒸気を噴射できる吸引式清掃装置が用いられている。このような清掃装置では、蒸気の噴射により汚れを軟化し、湿潤状態の汚れを吸引・除去できる（湿式クリーニング）ので清掃作業の能率が向上するが、乾燥状態の汚れを吸引・除去する場合（乾式クリーニング）との使い分けも考慮する必要がある。そこで、例えばキャニスタタイプの吸引式清掃装置において、蒸気噴射ノズルの近傍にローラ式雑巾を設けて蒸気を吸い取る技術が知られている（特許文献１参照）。また、１箇所に配設した負圧発生部（ブロア）を用いて建物内、建物群、地域等の清掃を集中管理するタイプの吸引式清掃装置において、湿式クリーニングユニットと、乾式クリーニングユニットとを併設する技術が知られている（特許文献２参照）。
【０００３】
【特許文献１】特許第２６３７０６０号公報
【特許文献２】実開平５−７０４４３号公報
【０００４】
ところが、特許文献１に示すようなローラ式雑巾で吸水するタイプでは、蒸気や水をローラ式雑巾で十分に吸収できず、乾燥空気の吸引口からこれらの水分が吸引され、負圧発生部のブロア及びその駆動モータに到達するおそれがある。そのため、負圧発生部の故障等が生じやすくなり、吸引式清掃装置の耐久性（寿命）が問題となる。これらの水分は、浮遊塵埃等を捕捉するために蒸気の吸引流路に設置されるフィルタによってある程度捕集可能であるが、負圧発生部への到達防止のためにフィルタの設置箇所を増やすと、負圧発生部の吸引性能が急に低下する場合があり、フィルタ交換に要するメンテナンス負担も大きくなる。一方、特許文献２に示すように予め湿式用と乾式用のユニットを別々に設ける場合には、負圧発生部の故障等は生じにくくなるが、構造が大型化して複雑になり、コストアップを招来する。
【発明の開示】
【発明が解決しようとする課題】
【０００５】
本発明の課題は、装置を大型化・複雑化したりメンテナンス負担を増加させることなく、負圧発生部に到達した吸引蒸気の凝縮等により故障等が発生するのを防止して耐久性の向上を図ることのできる吸引式清掃装置、及びそのような吸引式清掃装置に用いることのできる清掃用アタッチメントを提供することにある。
【課題を解決するための手段及び発明の効果】
【０００６】
上記課題を解決するために本発明に係る吸引式清掃装置の第一は、
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、ペルチェ効果を利用して、吸引された蒸気を冷却・凝縮させるとともにその冷却・凝縮後の残存蒸気を加熱・乾燥させるための電子冷却・加熱部を備えることを特徴とする。
【０００７】
また、上記課題を解決するために本発明に係る吸引式清掃装置の第二は、
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、
吸引された蒸気を凝縮させるとともに、吸引された空気、蒸気、汚水及び汚れから空気とその他のものとに遠心分離するための遠心分離部と、
その遠心分離部に対して当該吸引流路の下流側に位置し、ペルチェ効果を利用して、遠心分離されずに吸引された蒸気を冷却・凝縮させるとともにその冷却・凝縮後の残存蒸気を加熱・乾燥させるための電子冷却・加熱部と、
を備えることを特徴とする。
【０００８】
さらに、上記課題を解決するために本発明に係る吸引式清掃装置の第三は、
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、
吸引された蒸気を凝縮させるとともに、吸引された空気、蒸気、汚水及び汚れから空気とその他のものとに遠心分離するための遠心分離部と、
その遠心分離部の内部に配置され、ペルチェ効果を利用して、遠心分離されずに吸引されようとする蒸気を冷却・凝縮させるとともにその冷却・凝縮後の残存蒸気を加熱・乾燥させるための電子冷却・加熱部と、
を備えることを特徴とする。
【０００９】
次いで、上記課題を解決するために本発明に係る吸引式清掃装置の第四は、
乾燥空気用の吸引口及び吸引流路を含む乾燥空気用吸引部と蒸気用の吸引口及び吸引流路を含む蒸気用吸引部とが負圧発生部に選択的に連通連結され、乾燥状態又は湿潤状態の汚れを吸引・除去するための吸引式清掃装置であって、
前記蒸気用の吸引流路には、
主として、吸引された空気、蒸気、汚水及び汚れから空気とその他のものとに予備的に遠心分離するための予備遠心分離部と、
その予備遠心分離部に対して当該吸引流路の下流側に位置し、予備遠心分離されずに吸引された蒸気を凝縮させるとともに、吸引された空気、蒸気、汚水及び汚れから空気とその他のものとにさらに遠心分離するための遠心分離部と、
その遠心分離部の内部に配置され、ペルチェ効果を利用して、遠心分離されずに吸引されようとする蒸気を冷却・凝縮させるとともにその冷却・凝縮後の残存蒸気を加熱・乾燥させるための電子冷却・加熱部と、
を備えることを特徴とする。
【００１０】
これらの吸引式清掃装置によれば、蒸気用の吸引流路の途中にペルチェ素子（電子冷却素子とも称する）等からなる電子冷却・加熱部を組み込むことによって、吸引された蒸気を冷却・凝縮させるとともにその冷却・凝縮後の残存蒸気を加熱・乾燥させることが容易となる。したがって、ファン、ブロワ、コンプレッサ等の吸引機及び電動モータ等の駆動源を含んで構成される負圧発生部に、吸引蒸気が到達して故障等が発生するのを防止し、清掃装置の耐久性向上を図ることができる。
【００１１】
その際、サイクロン等で構成される遠心分離部又は予備遠心分離部の吸引流路下流側に電子冷却・加熱部を位置させたり、あるいは遠心分離部の内部に電子冷却・加熱部を配置させたりするときには、遠心分離部で、吸引された蒸気の一部を凝縮させ、吸引された空気、蒸気、汚水及び汚れから空気とその他のものとに一部遠心分離している。したがって、電子冷却・加熱部での冷却・凝縮及び加熱・乾燥がより確実に行われる。このように、蒸気を遠心分離することは必ずしも容易ではないが、ペルチェ効果と併用することによって蒸気の取り扱い性が向上する。
【００１２】
そして、第三又は第四の吸引式清掃装置において、遠心分離部をサイクロンで構成する場合には、サイクロンの内筒壁に埋設されるペルチェ素子と、内筒壁から外筒壁の位置する外方側へ向けて突出形成される吸熱フィンと、内筒壁から軸線の位置する内方側へ向けて突出形成される発熱フィンとを一体化することによって、電子冷却・加熱部をサイクロンの内部に組み込むことができるようになる。よく知られているように、ペルチェ素子（電子冷却素子）では、２つの異種金属の接合部に電流を流したとき、一方の接合部側では熱が吸収され、他方の接合部側では熱が発生する。そこで、一方の接合部側を内筒壁外側として吸熱フィンを取り付け、他方の接合部側を内筒壁内側として発熱フィンを取り付けることによって、サイクロンの内部に電子冷却・加熱部をシンプルに組み込むことができる。しかも、サイクロンでの吸引蒸気の凝縮作用及び吸引空気等の遠心分離作用と、電子冷却・加熱部での吸引蒸気の冷却・凝縮作用及び残存蒸気の加熱・乾燥作用とが、互いに阻害することなく同時並行的に進行するので吸引蒸気の凝縮等がサイクロン内で活発に行われ、吸引蒸気が負圧発生部に到達しにくくなる。
【００１３】
このような吸熱フィンを、遠心分離される蒸気の流れ方向に沿って螺旋状に連続形成し、接触した蒸気から凝縮熱を奪うことにより蒸気を冷却・凝縮させるようにすると、吸熱フィンはサイクロン内の蒸気の流れを阻害しない。したがって、サイクロン内での分離作用（吸引された空気、蒸気、汚水及び汚れから空気とその他のものとに遠心分離する作用）が促進され、浮遊塵埃等の分離除去性能も向上する。この場合、吸熱フィンを内筒壁からの突出高さが異なる複条螺旋構造とすれば、螺旋のリードがピッチよりも大きくなり、かつ、高さの低い螺旋には浮遊塵埃等が収容されるポケット空間が大きく形成されるので、浮遊塵埃等が排出されやすく詰まりが発生しにくくなる。
【００１４】
同様に、発熱フィンを、冷却・凝縮後の残存蒸気の流れ方向に沿って螺旋状に連続形成し、接触した蒸気を加熱することによりその蒸気を乾燥させるようにすると、発熱フィンは残存蒸気を乾燥しながらサイクロンの内筒からスムーズに排出するので、負圧発生部には蒸気が一層到達しにくくなる。さらに、サイクロンの外筒壁の外面に、サイクロン内部の熱を外部に放出するための放熱フィンを形成することにより、吸熱フィンでの冷却機能をさらに向上させることができるとともに、放熱フィンはサイクロンの補強用リブともなる。なお、放熱フィンはリング状（環状）でも螺旋状でもよい。
【００１５】
また、例えばスイッチ操作により蒸気用吸引部の使用が選択されたとき、乾燥空気用の吸引口を閉塞すれば、乾燥空気用吸引部への吸引蒸気及び湿潤状態の汚れの流入が阻止されるので、乾燥空気用吸引部での浮遊塵埃等の詰まりが発生しにくくなる。
【００１６】
次に、上記課題を解決するために、以上で述べた吸引式清掃装置に用いられる清掃用アタッチメントは、
少なくとも乾燥空気用吸引部と蒸気用吸引部とが内部に形成された筒状本体部を有し、
その筒状本体部は、負圧発生部に対して着脱自在に、かつ直接に又は他部材を介して間接的に取り付けられて吸引式清掃装置を構成することを特徴とする。
【００１７】
清掃用アタッチメントとして用いた場合でも、負圧発生部（吸引機及び駆動源）に吸引蒸気が到達して故障等が発生するのを防止し、清掃装置の耐久性向上を図ることができる。
【００１８】
このような清掃用アタッチメントでは、筒状本体部側と負圧発生部側とのいずれか一方側には、これらが清掃待機姿勢に対応する所定の位置関係にあることを検知するための検出手段が設けられる一方、筒状本体部には、浄水を加熱して清掃用の蒸気を発生させる蒸気発生部が取り付けられ、検出手段により清掃待機姿勢が検知されたとき、蒸気発生部による蒸気発生準備を可能とすることができる。清掃用アタッチメントとして筒状本体部の負圧発生部に対する位置決めがなされ、湿式清掃の態勢が整ってから蒸気発生準備が行われるので、清掃用蒸気が筒状本体部（蒸気発生部）から不意に吐出されることが防止される。
【００１９】
また、筒状本体部側と負圧発生部側とのいずれか一方側には、これらが清掃待機姿勢に対応する所定の位置関係にあることを検知するための検出手段が設けられる一方、筒状本体部には、浄水を加熱して清掃用の蒸気を発生させる蒸気発生部が取り付けられるとともに、筒状本体部の蒸気用の吸引流路には、電子冷却・加熱部で冷却・凝縮された汚水を貯留する汚水貯留部が取り付けられ、例えばスイッチ操作により蒸気用の吸引流路の使用が選択されたとき、検出手段による清掃待機姿勢であるか否かの検知とは無関係に、汚水貯留部は蒸気用の吸引流路から遮断され、その後検出手段により清掃待機姿勢が検知されたとき、蒸気発生部による蒸気発生準備を可能とすることができる。清掃用アタッチメントとして筒状本体部の負圧発生部に対する位置決めがなされたか否かにかかわらず、湿式清掃（スチーム清掃）の態勢が整っていなければ、汚水貯留部は蒸気用の吸引流路から遮断されるので、汚水貯留部からの汚水の漏れ（逆流）による再汚染が防止される。
【００２０】
ところで、筒状本体部には、蒸気用吸引部の吸引流路と乾燥空気用吸引部の吸引流路とを区画形成するとともに、蒸気用の吸引流路の断面積を乾燥空気用の吸引流路の断面積よりも大に形成してもよい。両吸引流路の区画形成によって、乾燥空気用の吸引流路への吸引蒸気・水等の水分の浸入を防止できる。また、蒸気用の吸引流路の断面積を大としたことにより、その吸引流路に電子冷却・加熱部等を配置することによって負圧発生部の吸引性能が低下した場合でも、浮遊塵埃等の詰まりを発生しにくい。さらに、筒状本体部には、蒸気用吸引部の吸引流路と、乾燥空気用吸引部の吸引流路と、蒸気発生部で発生した蒸気を吐出させるための蒸気用の吐出流路とを区画形成してもよい。これによって、両吸引流路の空きスペースに蒸気用の吐出流路をコンパクトに組み込める。
【００２１】
筒状本体部の蒸気用の吸引流路には、吸引した蒸気を電子冷却・加熱部へ導入するための軸流ファンを配置することができる。蒸気用の吸引流路に軸流ファンを配置したことにより、その吸引流路に電子冷却・加熱部等を配置することによって負圧発生部の吸引性能が低下した場合でも、浮遊塵埃等の詰まりを発生しにくい。
【００２２】
さて、上記課題を解決するために、本発明の吸引式清掃装置は、
蒸気用の吸引口及び吸引流路を含む蒸気用吸引部が負圧発生部に連通連結され、湿潤状態の汚れを吸引・除去するための吸引式清掃装置であって、
前記蒸気用の吸引流路には、ペルチェ効果を利用して、吸引された蒸気を冷却・凝縮させるとともにその冷却・凝縮後の残存蒸気を加熱・乾燥させるための電子冷却・加熱部を備えることを特徴とする場合がある。
【００２３】
このように、蒸気噴射・吸引専用の清掃装置（スチームクリーナとも称する）においても、負圧発生部（吸引機及び駆動源）に吸引蒸気が到達して故障等が発生するのを防止し、清掃装置の耐久性向上を図ることができる。
【００２４】
なお、本発明の吸引式清掃装置又は清掃用アタッチメントに用いられる「浄水」は、洗浄水１００％の他、洗剤、洗浄液等を所定割合混合させた洗浄溶液（例えば石けん水や強アルカリ消毒水）であってもよい。
【発明を実施するための最良の形態】
【００２５】
以下、本発明の実施の形態を図面を参照しつつ説明する。
（実施例１）
図１は、本発明に係る吸引式清掃装置の一例を示す正面図である。この吸引式清掃装置（以下、清掃装置ともいう）１００は、後方に位置するキャニスタ型の装置本体１と前方に位置する清掃用アタッチメント２とが、それらの中間に位置する連結ホース３で各々着脱可能に連結・接続されている。装置本体１には、連結ホース３を介して前方から到来する乾燥した塵埃を捕集するための集塵フィルタ・集塵バッグ等からなる集塵部１０と、吸塵作用に必要な負圧を発生させるための吸引ファン２１（吸引機）及びファン駆動用モータ２２（吸引機駆動手段）を含む負圧発生部２０とが備えられている。なお、吸引ファン２１で吸い込まれた乾燥空気は装置本体１後部の排気口２３から外部に放出される。また、ファン駆動用モータ２２は後述する制御部５００から出力される制御信号に基づいて作動する。
【００２６】
清掃用アタッチメント２の主体は、上部に位置する乾燥空気用吸引部３０Ａと下部に位置する蒸気用吸引部３０Ｓとが内部に区画形成された硬質合成樹脂製の長い筒状本体部３０であり、この筒状本体部３０は長手方向に複数に分割（例えば４分割）されジョイントにより接続されている。乾燥空気用吸引部３０Ａは、前端に形成される乾燥空気用の吸引口３１Ａとそれに続く乾燥空気用の吸引流路３２Ａとを含み、一方、蒸気用吸引部３０Ｓは、前端に形成される蒸気用の吸引口３１Ｓとそれに続く蒸気用の吸引流路３２Ｓとを含んで構成されている。そして、乾燥空気用吸引部３０Ａと蒸気用吸引部３０Ｓとは、切替スイッチ操作等に連動して装置本体１側の集塵部１０及び負圧発生部２０と選択的に連通連結されるようになっている。したがって、乾燥空気用吸引部３０Ａが負圧発生部２０に連通されたときには、乾燥状態の汚れを吸引・除去するための乾式掃除機となり、蒸気用吸引部３０Ｓが負圧発生部２０に連通されたときには、湿潤状態の汚れを吸引・除去するための湿式掃除機となる。
【００２７】
筒状本体部３０の前部には、浄水を加熱して蒸気を発生させる蒸気発生部４０が取り付けられ、筒状本体部３０の先端部には、蒸気噴射ノズル５１（蒸気噴射手段）を含む清掃部５０が連結されている。また、筒状本体部３０の後端部には手元操作ハンドル３９が形成され、この手元操作ハンドル３９は、操作スイッチ等の操作部３００と清掃装置１００の作動を制御する制御部５００とを有している。
【００２８】
蒸気用の吸引流路３２Ｓ（蒸気用吸引部３０Ｓ）には、流路の上手側から第一サイクロン６０（予備遠心分離部）、第二サイクロン７０（遠心分離部）、ペルチェ式熱ポンプ８０（電子冷却・加熱部）が配置されている。第一サイクロン６０は、ほぼ全体が銅製又はアルミニウム製で、主として、蒸気用の吸引口３１Ｓから吸引された空気、蒸気、汚水及び汚れから空気とその他のものとに予備的に遠心分離する機能を有している。第二サイクロン７０は、ほぼ全体が銅製又はアルミニウム製で、第一サイクロン６０の下流側に配置され、第一サイクロン６０で予備遠心分離されずに吸引された蒸気を凝縮させるとともに、吸引流路３２Ｓから吸引された空気、蒸気、汚水及び汚れから空気とその他のものとにさらに遠心分離する機能を有している。ペルチェ式熱ポンプ８０は、第二サイクロン７０の内部に配置され、ペルチェ効果を利用して、遠心分離されずに吸引されようとする蒸気を冷却・凝縮させるとともにその冷却・凝縮後の残存蒸気を加熱・乾燥させる機能を有している。なお、第一サイクロン６０と第二サイクロン７０との間の吸引流路３２Ｓには、両サイクロン６０，７０、ペルチェ式熱ポンプ８０の設置等に伴う吸引ファン２１の吸引能力の低下を補うために、軸流ファン（及びその駆動モータ）９０が内蔵されている。
【００２９】
図２（ａ）に拡大して示すように、蒸気発生部４０は、蒸気噴射式の清掃装置が通常備える以下の構造を備えている。
・清掃に使用するための浄水を貯留する透明樹脂製の浄水タンク４１（浄水貯留手段）；
・浄水を浄水タンク４１から汲み上げるためのポンプ４２；
・ポンプ駆動用モータ４３（ポンプ駆動手段）；
・ポンプ４２で汲み上げられた浄水を加熱して蒸気を発生させるヒータ４４；
・発生した蒸気を所定の蒸気圧に保持するためのアキュムレータ（蓄圧手段）４５；
・アキュムレータ４５内の蒸気を蒸気吐出管４７を介して蒸気噴射ノズル５１へ供給するためのリリーフ弁４６（開閉弁）。
なお、ポンプ駆動用モータ４３、ヒータ４４及びリリーフ弁４６は、それぞれ制御部５００から出力される制御信号に基づいて作動する。
【００３０】
清掃部５０は、前後部に跨る乾式清掃室５０Ａと中央部の湿式清掃室５０Ｓとに区画され、乾式清掃室５０Ａは乾燥空気用の吸引口３１Ａを介して乾燥空気用吸引部３０Ａに連通し、湿式清掃室５０Ｓは蒸気用の吸引口３１Ｓを介して蒸気用吸引部３０Ｓに連通している。乾式清掃室５０Ａには、乾燥状態の汚れを掻き取り、すくい上げて吸引口３１Ａに送り込むために、湿式清掃室５０Ｓを間に挟んで一対の回転ローラ５０ａ１，５０ａ２が設けられている。このうち、前方側の回転ローラ５０ａ１は被清掃面Ｓに接触した後後方側に向けて（図２（ａ）では反時計回りに）回転する。また、後方側の回転ローラ５０ａ２は、回転ローラ５０ａ１とは逆方向に、すなわち被清掃面Ｓに接触した後前方側に向けて（図２（ａ）では時計回りに）回転する。湿式清掃室５０Ｓには、湿潤状態の汚れを掻き取り、すくい上げて吸引口３１Ｓに送り込むために、一対の回転ローラ５０ｓ１，５０ｓ２が設けられている。このうち、前方側の回転ローラ５０ｓ１は被清掃面Ｓに接触した後後方側に向けて（図２（ａ）では反時計回りに）回転する。また、後方側の回転ローラ５０ｓ２は、回転ローラ５０ｓ１とは逆方向に、すなわち被清掃面Ｓに接触した後前方側に向けて（図２（ａ）では時計回りに）回転する。
【００３１】
そして、これらの回転ローラ５０ａ１，５０ａ２，５０ｓ１，５０ｓ２は、いずれも清掃用モータ５２（掻込駆動手段）により、移動方向（前後方向）に対してほぼ直交する方向の水平軸線周りに駆動回転される。なお、清掃用モータ５２は制御部５００から出力される制御信号に基づいて作動する。その際、進行方向（前方側）に対して順方向の回転を有する回転ローラ５０ａ１，５０ｓ１の回転数は、逆方向の回転を有する回転ローラ５０ａ２，５０ｓ２の回転数よりも大として、筒状本体部３０の移動操作が楽に行えるようにしている。また、蒸気噴射ノズル５１は一対の回転ローラ５０ｓ１，５０ｓ２の間に開口している。
【００３２】
図２（ｂ）（ｃ）に示すように、筒状本体部３０を構成する楕円パイプ３０ａの内部に、蒸気用の吸引流路３２Ｓを構成する円パイプ３２ｂと乾燥空気用の吸引流路３２Ａを構成する円パイプ３２ａとが圧入され、各パイプは各々の接点で圧着（又は接着剤等を用いて接着）されている。また、図２（ｂ）に示す一対の蒸気吐出管４７，４７は、蒸気発生部４０で発生した蒸気を蒸気噴射ノズル５１に吐出するために、楕円パイプ３０ａの外面に接着剤等を用いて接着・固定されている。これによって、筒状本体部３０に、蒸気用吸引部３０Ｓの吸引流路３２Ｓと乾燥空気用吸引部３０Ａの吸引流路３２Ａと蒸気用の吐出流路３２Ｅとが区画形成される。そして、両サイクロン６０，７０、ペルチェ式熱ポンプ８０の設置等に伴う吸引ファン２１の吸引能力の低下によって発生する詰まりを防止するために、蒸気用の吸引流路３２Ｓの断面積（パイプ３２ｂの内径）が乾燥空気用の吸引流路３２Ａの断面積（パイプ３２ａの内径）よりも大に形成されている。
【００３３】
なお、両吸引流路３２Ａ，３２Ｓを除いたパイプ３０ａの内部スペースは、電源２４（図１参照）から各駆動部への電力線、各センサ部から制御部５００（図１参照）への信号線、制御部５００から各駆動部への信号線等を通すためのワイヤ通路３２Ｗとして用いられる。また、蒸気用の吐出流路３２Ｅをパイプ３０ａの内部に収容してもよい。
【００３４】
図２（ｄ）は、手元操作ハンドル３９の操作部３００に設けられる操作スイッチ等の配置例を示している。この操作部３００には、主電源を入力するためのメインスイッチ３０１、スチーム清掃作業（湿式清掃作業）と乾式清掃作業とを選択入力するためのスチームスイッチ３０２，ドライスイッチ３０３、スチーム清掃作業の際に清掃用噴射とテスト用噴射とを選択入力するための清掃スチームスイッチ３０４，テストスチームスイッチ３０５等が設けられている。また、操作部３００には、これらスイッチの操作手順、清掃装置１００の作動状態、故障・誤動作・定期点検・定期交換等の注意事項等を液晶等で表示するための表示エリア３１０も設けられている。勿論、表示エリア３１０に順次表示されるスイッチ類３０１〜３０５で操作入力するようにしてもよい。
【００３５】
図３に示すように、第一サイクロン６０は、円筒状の外筒壁６１、円筒状の内筒壁６２及び第一逆止め弁６３（流出防止手段）を備えている。外筒壁６１は、吸引口３１Ｓ側の吸引流路３２Ｓに連通する連通口６１ａと上下の開口６１ｂ，６１ｃとを有する。内筒壁６２は、負圧発生部２０側の吸引流路３２Ｓに連通する連通口６２ａと下端部に形成された開口６２ｂとを有し、外筒壁６１の上部開口６１ｂから挿入され、その上部開口６１ｂで外筒壁６１と固定されている。第一逆止め弁６３は、外筒壁６１の下部開口６１ｃを外側（下側）から閉鎖可能な円板状の弁部６３ａと、弁部６３ａの中心から上方へ延び外筒壁６１の底壁中心を貫通して先端部（上端部）が内筒壁６２の開口６２ｂに臨む軸部６３ｂとを有する。
【００３６】
吸引ファン２１の吸引作用により連通口６１ａから外筒壁６１と内筒壁６２との間に流入した空気・蒸気・汚水（水滴）・軟化除去された汚れ等は、外筒壁６１の内周面に沿って旋回しながら（渦を描きながら）流下し、この間に空気とその他のものとに遠心分離される。このとき、外筒壁６１の内周面に接触した蒸気は壁面で熱を奪われて一部が凝縮（液化、水滴化）する。空気（及び一部の蒸気）等は、内筒壁６２の開口６２ｂから連通口６２ａを通り、負圧発生部２０側の吸引流路３２Ｓに至る。
【００３７】
第一サイクロン６０で遠心分離されて落下する汚水（水滴）・汚れ等は、第一サイクロン６０の下方に配置された第一汚水タンク６４（汚水貯留部）で受け止められる。第一汚水タンク６４は、その上部内周面に形成されためねじ部６４ｍと外筒壁６１の下部外周面に形成されたおねじ部６１ｍとの螺合により、外筒壁６１に一体的かつ着脱可能に取り付けられている。第一汚水タンク６４の中央底部には第一ソレノイド６５が固定され、第一ソレノイド６５のプランジャ６５ａは第一逆止め弁６３に固定されている。なお、６５ｂは第一ソレノイド６５が非励磁（消磁）のときプランジャ６５ａを上方突出させるための復帰ばね、６３ｃは第一逆止め弁６３を上方（閉方向）に付勢するための圧縮コイルスプリング（付勢手段）である。
【００３８】
そこで、制御部５００から出力される制御信号に基づいて第一ソレノイド６５が励磁されたときには、復帰ばね６５ｂ、圧縮コイルスプリング６３ｃのばね力に抗して第一ソレノイド６５のプランジャ６５ａが引き込まれ（下降し）、第一逆止め弁６３が外筒壁６１の下部開口６１ｃを開放する。これによって、第一サイクロン６０で遠心分離されて落下する汚水（水滴）・汚れ等は、下部開口６１ｃから汚水タンク６４に回収される。このとき、連通口６１ａから吸引された蒸気の一部は外筒壁６１の内周面で凝縮し、下部開口６１ｃから第一汚水タンク６４に回収される。
【００３９】
一方、第一ソレノイド６５が消磁されたとき（非励磁）には、復帰ばね６５ｂ、圧縮コイルスプリング６３ｃのばね力により、第一ソレノイド６５のプランジャ６５ａが突出（上昇）し、第一逆止め弁６３が外筒壁６１の下部開口６１ｃを閉鎖する。これによって、第一汚水タンク６４内の汚水は吸引口３１Ｓ側や負圧発生部２０側に逆流することを阻止され、運搬時等の汚水の漏れを防止できる。したがって、吸引ファン２１の非回転時（負圧発生部２０の非作動時；第一ソレノイド６５のＯＦＦ時）に、第一サイクロン６０は第一汚水タンク６４から遮断される。
【００４０】
外筒壁６１の外面には、第一サイクロン６０内部の熱を外部に放出するために、環状又は螺旋状の放熱フィン６１ｄを一体成形により又は溶接等により形成してもよい。放熱フィン６１ｄを放熱効果が高い銅又はアルミニウム材料で構成すれば、第一サイクロン６０内部での蒸気の凝縮が促進されるとともに、放熱フィン６１ｄは第一サイクロン６０の補強用リブともなる。また、外筒壁６１の頂壁に１又は複数（例えば周方向に等間隔で４個）の蒸気噴出口６１ｅを設けている。テストスチームスイッチ３０５（図２（ｄ）参照）の操作に基づいて、吐出流路３２Ｅ（蒸気吐出管４７，４７等）から導かれた蒸気を外筒壁６１と内筒壁６２との間に噴出させ、外筒壁６１の内周面を洗浄する。
【００４１】
図４及び図５に示すように、第二サイクロン７０は前述の第一サイクロン６０よりもやや小型に形成されるとともに、第一サイクロン６０と同様に円筒状の外筒壁７１、円筒状の内筒壁７２及び第二逆止め弁７３（流出防止手段）を備えている。外筒壁７１は、吸引口３１Ｓ側の吸引流路３２Ｓに連通する連通口７１ａと上下の開口７１ｂ，７１ｃとを有する。また、外筒壁７１の外面には、第二サイクロン７０内部の熱を外部に放出するために、環状又は螺旋状の放熱フィン７１ｄが一体成形により又は溶接等により形成されている。放熱フィン７１ｄも銅又はアルミニウム材料で構成されているので放熱効果が高く、第二サイクロン７０内部での蒸気の凝縮（液化、水滴化）が促進される。内筒壁７２は、負圧発生部２０側の吸引流路３２Ｓに連通する連通口７２ａと下端部に形成された開口７２ｂとを有し、外筒壁７１の上部開口７１ｂから挿入され、その上部開口７１ｂで外筒壁７１と固定されている。第二逆止め弁７３は、外筒壁７１の下部開口７１ｃを外側（下側）から閉鎖可能な円板状の弁部７３ａと、弁部７３ａの中心から上方へ延び外筒壁７１の底壁中心を貫通して先端部（上端部）が内筒壁７２の開口７２ｂに臨む軸部７３ｂとを有する。
【００４２】
さらに、第二サイクロン７０の内部にはペルチェ式熱ポンプ８０が配置されている。具体的には、図５（ｂ）に示すように、内壁部７２ｃと外壁部７２ｄとの円筒状二重構造からなる内筒壁７２に、Ｐ形半導体とＮ形半導体とを金属の中間電極で接続したペルチェ素子８１を挟み込んで埋設する。このとき、正電極−Ｎ形半導体−中間電極−Ｐ形半導体−中間電極−…−Ｐ形半導体−負電極と接続して通電すると、外壁部７２ｄ側を吸熱（冷却）源、内壁部７２ｃ側を発熱（加熱）源とする熱ポンプ作用が起こる。そこで、内筒壁７２の外壁部７２ｄから外筒壁７１の位置する外方側へ向けて吸熱フィン８２を突出形成し、内筒壁７２の内壁部７２ｃから軸線の位置する内方側へ向けて発熱フィン８３を突出形成すると、吸熱フィン８２、発熱フィン８３及びペルチェ素子８１が一体化されたペルチェ式熱ポンプ８０が得られる。
【００４３】
吸熱フィン８２は、遠心分離される蒸気の流れ方向に沿って、内筒壁７２の外壁部７２ｄからの突出高さが異なる複条（図４では３条）螺旋状に連続形成され、接触した蒸気から凝縮熱を奪うことによりその蒸気を冷却・凝縮させる。突出高さ（接触面積）が大きい螺旋状の吸熱フィン８２ａでは、蒸気の冷却・凝縮を促進させることができる。一方、突出高さ（接触面積）が小さく外筒壁７１との隙間が大きい螺旋状の吸熱フィン８２ｂでは、浮遊塵埃等が通過しやすく詰まりを生じにくい。また、発熱フィン８３は、冷却・凝縮後の残存蒸気の流れ方向に沿って螺旋状に連続形成され、接触した蒸気を加熱することによりその蒸気を乾燥させるので、乾燥した空気をスムーズに負圧発生部２０に導出することができる。
【００４４】
第一サイクロン６０で遠心分離されずに、吸引ファン２１の吸引作用により連通口７１ａから外筒壁７１と内筒壁７２との間に流入した空気・蒸気・汚水（水滴）・軟化除去された汚れ等は、外筒壁７１の内周面に沿って旋回しながら（渦を描きながら）流下し、この間に外筒壁７１の内周面に接触した蒸気は壁面で熱を奪われて凝縮する。同時に、空気とその他のものとに遠心分離される。第二サイクロン７０の内部にペルチェ式熱ポンプ８０を配置したことにより、第二サイクロン７０で遠心分離されずに吸引ファン２１側（内筒壁７２の開口７２ｂ）に吸引されようとする蒸気を冷却・凝縮させるとともに冷却・凝縮後の残存蒸気を内筒壁７２の内壁部７２ｃ側で加熱・乾燥させることができる。加熱・乾燥された空気は連通口７２ａを通り、負圧発生部２０側の吸引流路３２Ｓに至る。
【００４５】
図４に戻り、第二サイクロン７０で遠心分離されて落下する汚水（水滴）・汚れ等は、第二サイクロン７０の下方に配置された第二汚水タンク７４（汚水貯留部）で受け止められる。第二汚水タンク７４は、その上部内周面に形成されためねじ部７４ｍと外筒壁７１の下部外周面に形成されたおねじ部７１ｍとの螺合により、外筒壁７１に一体的かつ着脱可能に取り付けられている。第二汚水タンク７４の中央底部には第二ソレノイド７５が固定され、第二ソレノイド７５のプランジャ７５ａは第二逆止め弁７３に固定されている。なお、７５ｂは第二ソレノイド７５が非励磁（消磁）のときプランジャ７５ａを上方突出させるための復帰ばね、７３ｃは逆止め弁７３を上方（閉方向）に付勢するための圧縮コイルスプリング（付勢手段）である。
【００４６】
そこで、制御部５００から出力される制御信号に基づいて第二ソレノイド７５が励磁されたときには、復帰ばね７５ｂ、圧縮コイルスプリング７３ｃのばね力に抗して第二ソレノイド７５のプランジャ７５ａが引き込まれ（下降し）、第二逆止め弁７３が外筒壁７１の下部開口７１ｃを開放する。これによって、第二サイクロン７０で遠心分離されて落下する汚水（水滴）・汚れ等は、下部開口７１ｃから第二汚水タンク７４に回収される。このとき、連通口７１ａから吸引された蒸気の一部は外筒壁７１の内周面で凝縮し、下部開口７１ｃから第二汚水タンク７４に回収される。
【００４７】
一方、第二ソレノイド７５が消磁されたとき（非励磁）には、復帰ばね７５ｂ、圧縮コイルスプリング７３ｃのばね力により、第二ソレノイド７５のプランジャ７５ａが突出（上昇）し、第二逆止め弁７３が外筒壁７１の下部開口７１ｃを閉鎖する。これによって、第二汚水タンク７４内の汚水は吸引口３１Ｓ側や負圧発生部２０側に逆流することを阻止され、運搬時等の汚水の漏れを防止できる。したがって、吸引ファン２１の非回転時（負圧発生部２０の非作動時；第二ソレノイド７５のＯＦＦ時）に、第二サイクロン７０は第二汚水タンク７４から遮断される。
【００４８】
次に、図６に示す制御ブロック図により、清掃装置１００の制御構成を説明する。制御部５００は、ＣＰＵ５０１、ＲＡＭ５０２、ＲＯＭ５０３、入出力インターフェース５０４，５０５等を有し、これらが送受信可能に接続されたマイクロコンピュータにより構成されている。ＣＰＵ５０１は、ＲＯＭ５０３から読み込んだ制御プログラムに基づいて清掃作業を実行する。ＲＡＭ５０２はそのプログラムを実行する際のワークエリアとして使用される。
【００４９】
図６に示すように、清掃装置１００の各部から次の信号が入力インターフェース５０４を介して制御部５００へ入力されている。
・操作部３００：主電源を入力するためのメインスイッチ３０１、スチーム清掃作業（湿式清掃作業）と乾式清掃作業とを選択入力するためのスチームスイッチ３０２，ドライスイッチ３０３、スチーム清掃作業の際に清掃用噴射とテスト用噴射とを選択入力するための清掃スチームスイッチ３０４，テストスチームスイッチ３０５等の操作信号；
・セット位置確認センサ２３０（図８（ａ）参照；位置検出手段）：両サイクロン６０，７０（両汚水タンク６４，７４）がほぼ垂直姿勢となるように、清掃用アタッチメント２（筒状本体部３０）が装置本体１（負圧発生部２０）の後端部に立てかけられた清掃待機姿勢（図８（ａ）参照）にあることの検知信号；
・集塵満量センサ２１０（図１参照）：集塵部１０の集塵量が所定値以上となったことの検知信号；
・浄水タンク残量センサ２４１（図２（ａ）参照）：浄水タンク４１内の浄水残量が所定値以下となったことの検知信号；
・蒸気圧センサ２４５（図２（ａ）参照）：アキュムレータ内の蒸気圧力が所定範囲外となったことの検知信号；
・第一汚水タンク満量センサ２６４（図３参照）：第一汚水タンク６４内の汚水量が所定値以上となったことの検知信号；
・第二汚水タンク満量センサ２７４（図４参照）：第二汚水タンク７４内の汚水量が所定値以上となったことの検知信号。
【００５０】
同様に、次の信号が出力インターフェース５０５を介して制御部５００から清掃装置１００の各部へ出力されている。
・ポンプ駆動用モータ４３：ポンプ４２の回転・停止のための制御出力信号；
・ヒータ４４：蒸気発生部２０での浄水の加熱・停止のための制御出力信号；
・リリーフ弁４６：蒸気発生部２０で発生した蒸気の蒸気噴射ノズル５１への供給・停止のための制御出力信号；
・ファン駆動用モータ２２：吸引ファン２１の回転・停止のための制御出力信号；
・清掃用モータ５２：回転ブラシ５０ａ，５０ｂ、回転モップ５０ｃ１，５０ｃ２の回転・停止のための制御出力信号；
・シャッタソレノイド３４：乾燥空気用の吸引口３１Ａを閉塞するシャッタ３３の開放・閉鎖のための制御出力信号；
・第一ソレノイド６５：第一サイクロン６０の外筒壁６１において、下部開口６１ｃを第一逆止め弁６３が開放・閉鎖するための制御出力信号；
・第二ソレノイド６５：第二サイクロン６０の外筒壁７１において、下部開口７１ｃを第二逆止め弁７３が開放・閉鎖するための制御出力信号；
・ペルチェ素子８１；ペルチェ式熱ポンプ８０を機能させるために、ペルチェ素子８１を駆動するための制御出力信号；
・軸流ファン９０：吸引ファン２１の吸引能力の低下を補うために、軸流ファン（とその駆動モータ）９０を駆動するための制御出力信号； 
・表示エリア３１０：スイッチ３０１〜３０５の操作手順、清掃装置１００の作動状態、故障・誤動作・定期点検・定期交換等の注意事項等を表示するための表示出力信号。
【００５１】
次に、図７のフローチャートを用いて清掃装置１００の制御の一例を説明する。まず、メインスイッチ３０１がＯＮか否かを確認し（Ｓ１）、ＯＮであれば（Ｓ１でＹＥＳ）、Ｓ２にて集塵満了センサ２１０，浄水タンク残量センサ２４１，第一汚水タンク満了センサ２６４及び第二汚水タンク満了センサ２７４に異常がないかをチェックする。すべてのセンサに異常がなければ（Ｓ２でＹＥＳ）、スチームスイッチ３０２が選択（操作）されたか否かを確認する（Ｓ３）。スチームスイッチ３０２が選択されていれば（Ｓ３でＹＥＳ）、Ｓ４にてシャッタソレノイド３４を閉操作して乾燥空気用の吸引口３１Ａをシャッタ３３で塞ぎ、第一及び第二ソレノイド６５，７５を閉操作して第一及び第二サイクロン６０，７０の下部開口６１ｃ，７１ｃを逆止め弁６３，７３で塞いで、蒸気噴射の準備を行う。
【００５２】
一方、スチームスイッチ３０２の代わりにドライスイッチ３０３が選択されていれば（Ｓ３でＮＯ）、Ｓ１３では第一及び第二ソレノイド６５，７５の閉操作は同様であるが、シャッタソレノイド３４を開操作して乾式清掃の準備を行い、Ｓ１４にてファン駆動用モータ２２を作動させ、清掃用モータ５２を作動させて乾式清掃を行う。その後、Ｓ１５にてスチーム清掃フラグを０に戻してＳ１にリターンする。ここで、Ｓ３でのスチームスイッチ３０２とドライスイッチ２０３との選択がスムーズに行われるように、表示エリア３１０に催告表示又は案内表示を行ってもよい。
【００５３】
Ｓ４で蒸気噴射の準備が整うと、Ｓ５でスチーム清掃フラグが１であるかを確認する。ここで、「スチーム清掃フラグ」はスチーム清掃が開始されたことを表わす（Ｓ１１参照）ものであり、この段階では０であるから（Ｓ５でＮＯ）、Ｓ６に進みセット位置確認センサ２３０がＯＮ（検知）しているかをチェックする。ここで、「セット位置」とは図８（ａ）に示すように、両サイクロン６０，７０（両汚水タンク６４，７４）がほぼ垂直姿勢となるように、清掃用アタッチメント２（筒状本体部３０）が装置本体１（負圧発生部２０）の後端部に立てかけられた清掃待機姿勢をいい、このときセット位置確認センサ２３０はＯＮとなる。セット位置確認センサ２３０がＯＮしていれば（Ｓ６でＹＥＳ）、Ｓ７にてポンプ駆動用モータ４３と、ヒータ４４を作動させ、蒸気発生が開始される。Ｓ８にて蒸気圧センサ２４５が所定圧を感知してＯＮすると（Ｓ８でＹＥＳ）、清掃スチームスイッチ３０４が選択（操作）されたか否かを確認する（Ｓ９）。
【００５４】
清掃スチームスイッチ３０４が選択されていれば（Ｓ９でＹＥＳ）、Ｓ１０にてリリーフ弁の開操作、ファン駆動用モータ２２の作動、清掃用モータ５２の作動、第一及び第二ソレノイド６５，７５の開操作、ペルチェ素子８１の作動及び軸流ファン９０の作動によりスチーム清掃を行う。Ｓ１０でスチーム清掃が行われたので、Ｓ１１にてスチーム清掃フラグを１としてＳ１にリターンする。一方、清掃スチームスイッチ３０４の代わりにテストスチームスイッチ３０５が選択されていれば（Ｓ９でＮＯ）、Ｓ１８で第一サイクロン６０の蒸気噴出口６１ｅからテストスチームを噴出させ、Ｓ１にリターンする。ここで、Ｓ９での清掃スチームスイッチ３０４とテストスチームスイッチ３０５との選択がスムーズに行われるように、表示エリア３１０に催告表示又は案内表示を行ってもよい。いずれにしても、スチーム清掃が可能となった段階（Ｓ９）でテストスチームスイッチ３０５を操作することにより、スチーム噴射が正常であるかを実際に確認できるとともに、そのテストスチームを第二サイクロン７０よりも汚れが付着しやすい第一サイクロン６０の洗浄用に用いることができ効率的である。
【００５５】
さらに、Ｓ１１にてスチーム清掃フラグを１としてＳ１にリターンした場合、Ｓ５でＹＥＳとなるので、Ｓ６を迂回してＳ７以降が実行されるから、スチーム清掃作業が滞りなく実行される。そして、スチーム清掃フラグが０になるのは、乾式清掃作業に切り換えられた場合（Ｓ１５）と、作業をすべて停止したとき（メインスイッチ３０１がＯＦＦ）とのいずれかである。
【００５６】
なお、Ｓ２においていずれかのセンサに異常がある場合（Ｓ２でＮＯ）や、Ｓ６においてセット位置確認センサ２３０がＯＦＦの場合（Ｓ６でＮＯ）には、表示エリア３１０にその旨を警告表示してＳ１にリターンする。ここで、セット位置確認センサ２３０がＯＦＦの場合の一例として、図８（ｂ）を挙げることができる。すなわち、本発明の清掃装置１００を収納する際には、図８（ｂ）に示すように装置本体１を倒立させ、装置本体１のフック２５に清掃用アタッチメント２（筒状本体部３０）の係合部材３５を引っ掛ければ、連結ホース３を取り外さなくてもそのままの姿勢で保持でき、省スペースで片付けられる。ただし、両汚水タンク６４，７４が垂直姿勢でないため、もしタンク内に汚水が残留していると蒸気用吸引部３０Ｓに漏れ出すおそれがあるので、セット位置から除外されている（セット位置確認センサ２３０がＯＦＦ）。また、Ｓ８において蒸気圧センサ２４５が所定圧を外れた場合（Ｓ８でＮＯ）には、表示エリア３１０に待機中の表示を行った後Ｓ１にリターンする。
【００５７】
（実施例２）
図９に、本発明に係る吸引式清掃装置の他の例を示す。図９に示す吸引式清掃装置は、肩掛けタイプのスチーム清掃専用機（以下、スチームクリーナともいう）４００として表わされている。このスチームクリーナ４００は、蒸気用の吸引口４３１Ｓ及び吸引流路４３２Ｓを含む蒸気用吸引部４３０Ｓが負圧発生部４２０に連通連結され、湿潤状態の汚れを吸引・除去するための吸引式清掃装置として構成されている。
【００５８】
そして、蒸気用の吸引流路４３２Ｓには、実施例１と同様に、サイクロン７０（遠心分離部；実施例１の第二サイクロンに該当）とサイクロン７０の内部に配置されたペルチェ式熱ポンプ８０（電子冷却・加熱部）とを備えている。サイクロン７０は、吸引された蒸気を凝縮させるとともに、吸引された空気、蒸気、汚水及び汚れから空気とその他のものとに遠心分離する機能を有する。一方、ペルチェ式熱ポンプ８０は、ペルチェ効果を利用して、吸引された蒸気を冷却・凝縮させるとともにその冷却・凝縮後の残存蒸気を加熱・乾燥させる機能を有する。
【００５９】
このスチームクリーナ４００の蒸気発生部４４０は、実施例１に示す蒸気発生部４０とほぼ同様の構造を有している。また、その清掃部４５０には蒸気噴射ノズル４５１を備えている。なお、吸引ファン４２１（吸引機）及びファン駆動用モータ４２２（吸引機駆動手段）を含む負圧発生部４２０はスチームクリーナ４００の中央上部にあり、蒸気用の吸引流路４３２Ｓと連通する連通口７２ａを介してサイクロン７０と連結されている。
【００６０】
このようなスチームクリーナ４００においても、サイクロン７０及びペルチェ式熱ポンプ８０によって、負圧発生部４２０に吸引蒸気が到達して吸引ファン４２１やファン駆動用モータ４２２に故障等が発生するのを防止し、清掃装置の耐久性向上を図ることができる。なお、図９（実施例２）において図１〜図８（実施例１）と共通する機能を有する部分には同一符号を付して詳細説明を省略する。
【００６１】
以上で説明した実施例では、本発明を逸脱しない範囲において種々の変更が可能である。
（１）キャニスタ型の吸引式清掃装置１００への適用例を実施例１としたが、特許文献２に示すようなセントラルクリーナシステムに適用してもよい。
（２）スチーム清掃専用機として、実施例２のような肩掛けタイプ以外にハンディタイプ、手押しタイプ、自走タイプ等にも適用できる（特許第３４８４１８８号公報等参照）。
（３）清掃部５０，４５０には、例示した以外に各種のアタッチメントを取り付けたり、先端形状を変更したりしてもよい。
（４）図２（ｄ）では手元操作ハンドル３９の操作部３００に操作スイッチ３０１〜３０５を設けたが、表示エリア３１０の液晶表示等にタッチパネル機能を持たせて、選択入力を可能としてもよい。
（５）図６において、シャッタソレノイド３４によるシャッタ３３の開閉（図２（ａ）参照）を検出するためのセンサや、第一及び第二ソレノイド６５，７５による第一及び第二逆止め弁６３，７３の開閉（図３及び図４参照）を検出するためのセンサを付設してもよい。
（６）セット位置確認センサ２３０は装置本体１側に設けてもよい。
【図面の簡単な説明】
【００６２】
【図１】本発明に係る吸引式清掃装置の一例を示す正面図。
【図２】図１の部分拡大図、筒状本体部の断面図及び操作部の配置説明図。
【図３】第一サイクロンの内部構造を示す正面断面図。
【図４】第二サイクロンの内部構造を示す正面断面図。
【図５】図４のＣ−Ｃ断面図及びＤ部詳細図。
【図６】図１の吸引式清掃装置の制御ブロック図
【図７】図６の制御の一例を表わすフローチャート。
【図８】図１の吸引式清掃装置の配置例を説明する図。
【図９】本発明に係る吸引式清掃装置の他の例を示す正面図。
【符号の説明】
【００６３】
１      装置本体
２      清掃用アタッチメント
２０    負圧発生部
３０    筒状本体部
３０Ａ  乾燥空気用吸引部
３０Ｓ  蒸気用吸引部
３１Ａ  乾燥空気用吸引口
３１Ｓ  蒸気用吸引口
３２Ａ  乾燥空気用吸引流路
３２Ｓ  蒸気用吸引流路
４０    蒸気発生部
６０    第一サイクロン（予備遠心分離部）
７０    第二サイクロン（遠心分離部）
８０    ペルチェ式熱ポンプ（電子冷却・加熱部）
８１    ペルチェ素子
８２    吸熱フィン
８３    発熱フィン
９０    軸流ファン
１００  吸引式清掃装置
２３０  セット位置確認センサ（位置検出手段）
【図１】
0003619244.tif 000002
【図２】
0003619244.tif 000003
【図３】
0003619244.tif 000004
【図４】
0003619244.tif 000005
【図５】
0003619244.tif 000006
【図６】
0003619244.tif 000007
【図７】
0003619244.tif 000008
【図８】
0003619244.tif 000009
【図９】
0003619244.tif 000010